(57)【特許請求の範囲】
【請求項１】
昇華性染料を昇華・転写させることにより、布帛に染色部を形成する染色方法であって、
前記布帛を伸張する工程と、
記録媒体に前記昇華性染料を付与することにより、転写媒体を得る工程と、
伸張した前記布帛と、前記転写媒体とを対向させた状態で、前記転写媒体を加熱することにより、前記昇華性染料を前記布帛に転写させる工程と、を有し、
前記転写媒体は、インクジェット法により、前記昇華性染料と水とを含む昇華転写用インクを、前記記録媒体に付与することにより得られたものであり、
前記昇華転写用インクの２５℃における表面張力は、２５ｍＮ／ｍ以上４０ｍＮ／ｍ以下であることを特徴とする染色方法。
【請求項２】
前記布帛の伸張率に合わせて、前記布帛に形成すべき画像に画像処理を施した加工画像を、前記記録媒体に前記昇華性染料を付与することにより形成する請求項１に記載の染色方法。
【請求項３】
前記布帛を、少なくとも２方向に伸張する請求項１または２に記載の染色方法。
【請求項４】
前記布帛は、縦糸と横糸とで構成されており、
前記布帛を、前記縦糸の方向と前記横糸の方向とに伸張する請求項１ないし３のいずれか１項に記載の染色方法。
【請求項５】
前記昇華転写用インクは、トレハロース類を含む請求項１ないし４のいずれか１項に記載の染色方法。
【請求項６】
前記昇華転写用インクは、グリコールエーテルを含む請求項１ないし５のいずれか１項に記載の染色方法。
【請求項７】
昇華性染料を昇華・転写させることにより、布帛に染色部を形成する染色方法であって、
前記布帛を伸張する工程と、
記録媒体に前記昇華性染料を付与することにより、転写媒体を得る工程と、
伸張した前記布帛と、前記転写媒体とを対向させた状態で、前記転写媒体を加熱することにより、前記昇華性染料を前記布帛に転写させる工程と、を有し、
前記布帛を、少なくとも２方向に伸張することを特徴とする染色方法。
【発明の詳細な説明】
【技術分野】
【０００１】
本発明は、染色方法に関するものである。
【背景技術】
【０００２】
昇華転写を利用した布帛等に対する染色が、広く行われている。このような昇華転写を利用した染色方法としては、紙等のシート状の記録媒体に昇華性染料を含むインク（昇華転写用インク）をインクジェット方式により付与することにより中間転写媒体を得、布帛等の被染色物に前記中間転写媒体を重ねて、加熱により昇華転写する方法が用いられている（例えば、特許文献１参照）。このような昇華転写を用いた場合、発色性が高い染色を行うことができる。
しかしながら、被染色物の、中間転写媒体と対向する面については、十分な発色性が得られるが、被染色物の裏面側まで十分に染色する（裏抜け）ことができず、裏面側における発色性が十分ではなかった。
【先行技術文献】
【特許文献】
【０００３】
【特許文献１】国際公開第２００５／１２１２６３号パンフレット
【発明の概要】
【発明が解決しようとする課題】
【０００４】
本発明の目的は、布帛裏面への裏抜けが良好で、発色性に優れた染色部を効率よく形成することができる染色方法を提供することにある。
【課題を解決するための手段】
【０００５】
このような目的は、下記の本発明により達成される。
本発明の染色方法は、昇華性染料を昇華・転写させることにより、布帛に染色部を形成する染色方法であって、
前記布帛を伸張する工程と、
記録媒体に前記昇華性染料を付与することにより、転写媒体を得る工程と、
伸張した前記布帛と、前記転写媒体とを対向させた状態で、前記転写媒体を加熱することにより、前記昇華性染料を前記布帛に転写させる工程と、を有し、
前記転写媒体は、インクジェット法により、前記昇華性染料と水とを含む昇華転写用インクを、前記記録媒体に付与することにより得られたものであり、
前記昇華転写用インクの２５℃における表面張力は、２５ｍＮ／ｍ以上４０ｍＮ／ｍ以下であることを特徴とする。
これにより、良好に裏抜けを発生させ、布帛の転写媒体と対向する面（表面）の発色性だけでなく、布帛の転写媒体とは反対側の面（裏面）の発色性も良好なものとすることができる。
【０００６】
本発明の染色方法では、前記布帛の伸張率に合わせて、前記布帛に形成すべき画像に画像処理を施した加工画像を、前記記録媒体に前記昇華性染料を付与することにより形成することが好ましい。
これにより、布帛の伸張を戻したときに、所望の画像をより確実に得ることができる。
本発明の染色方法では、前記布帛を、少なくとも２方向に伸張することが好ましい。
これにより、布帛の繊維の間隔をさらに広げることができ、裏抜けをさらに効果的に発生させることができる。
本発明の染色方法では、前記布帛は、縦糸と横糸とで構成されており、
前記布帛を、前記縦糸の方向と前記横糸の方向とに伸張することが好ましい。
これにより、より効果的に裏抜けを発生させることができ、染色物の裏面の発色性をさらに向上させることができる。
【０００７】
本発明の染色方法では、前記昇華転写用インクは、トレハロース類を含むことが好ましい。
本発明の染色方法では、前記昇華転写用インクは、グリコールエーテルを含むことが好ましい。
本発明の染色方法は、昇華性染料を昇華・転写させることにより、布帛に染色部を形成する染色方法であって、
前記布帛を伸張する工程と、
記録媒体に前記昇華性染料を付与することにより、転写媒体を得る工程と、
伸張した前記布帛と、前記転写媒体とを対向させた状態で、前記転写媒体を加熱することにより、前記昇華性染料を前記布帛に転写させる工程と、を有し、
前記布帛を、少なくとも２方向に伸張することを特徴とする。
【図面の簡単な説明】
【０００８】
【図１】布帛を伸張するための伸張装置の一例を示す模式図である。
【発明を実施するための形態】
【０００９】
以下、本発明の好適な実施形態について、詳細に説明する。
≪染色方法≫
まず、本発明の染色方法（染色物の製造方法）について説明する。
本発明の染色方法では、昇華性染料を昇華・転写させることにより、布帛に染色部を形成する方法である。
【００１０】
ところで、昇華転写を利用した布帛等に対する染色が、広く行われている。このような昇華転写を利用した染色方法としては、紙等のシート状の記録媒体に昇華性染料を含むインク（昇華転写用インク）をインクジェット方式により付与することにより中間転写媒体を得、布帛等の被染色物に前記中間転写媒体を重ねて、加熱により昇華転写する方法が用いられている。このような昇華転写を用いた場合、発色性が高い染色を行うことができる。
【００１１】
しかしながら、被染色物の、中間転写媒体と対向する面については、十分な発色性が得られるが、被染色物の裏面側まで十分に染色する（裏抜け）ことができず、裏面側における発色性が十分ではなかった。
これに対して、本発明の染色方法では、布帛を伸張する工程（第１の工程）と、記録媒体に昇華性染料を付与することにより、転写媒体を得る工程（第２の工程）と、伸張した布帛と転写媒体とを対向させた状態で、転写媒体を加熱することにより、昇華性染料を布帛に転写させる工程（第３の工程）と、を有することにより、良好に裏抜けを発生させ、布帛の転写媒体と対向する面（表面）の発色性だけでなく、布帛の転写媒体とは反対側の面（裏面）の発色性も良好なものとすることができる。
すなわち、布帛を伸張して、布帛を構成する繊維の隙間を大きくすることにより、転写した昇華性染料がその隙間を通って容易に裏面への抜けることができる。その結果、良好に裏抜けが発生し、表面および裏面での発色性が良好なものとなる。
【００１２】
以下、各工程について、説明する。
＜第１の工程＞
第１の工程では、布帛を伸張する。
布帛を伸張することにより、布帛を構成する繊維の隙間が広がり、転写される昇華性染料が裏抜けしやすくなる。その結果、表面および裏面において優れた発色性を発揮する染色物を形成することができる。
【００１３】
このような伸張は、例えば、図１に示すような伸張装置１０を用いて行うことができる。
伸張装置１０は、図示せぬ布帛供給手段から供給された布帛１を中継する２つの中継ローラ２および３と、中継ローラ２と中継ローラ３の間に設けられた伸張手段４とを有している。
【００１４】
伸張装置１０では、布帛１は、図の右方向に搬送されるよう構成されている。
そして、伸張手段４が図中Ｘの方向に、布帛を引っ張ることで、布帛を伸張するよう構成されている。
図１の伸張装置１０では、１方向（布帛１の長手方向）に伸張するものであるが、さらに、布帛１の幅方向にむかって伸張する伸張手段を有していてもよい。
すなわち、布帛１を２方向に伸張してもよい。２方向に伸張することにより、布帛１の繊維の間隔をさらに広げることができ、裏抜けをさらに効果的に発生させることができる。
【００１５】
また、布帛が縦糸と横糸とで構成されている場合、布帛を縦糸の方向と横糸の方向との２方向に伸張するのが好ましい。これにより、より効果的に裏抜けを発生させることができ、裏面の発色性をさらに向上させることができる。
また、伸張率は、繊維の種類に合わせて変更されることが好ましい。これにより、さらに効果的に裏抜けを発生させることができ、裏面の発色性をさらに向上させることができる。
【００１６】
＜第２の工程＞
本工程では、記録媒体に昇華性染料を付与することにより、転写媒体を得る。
転写媒体上には、昇華性染料で形成された画像が形成されているが、当該画像は、布帛に形成すべき画像に画像処理を施した加工画像である。
すなわち、布帛の伸張率に合わせて、画像処理が施された画像（加工画像）が形成される。これにより、布帛の伸張を戻したときに、所望の画像をより確実に得ることができる。
【００１７】
＜第３の工程＞
本工程では、伸張した布帛と、記録媒体に昇華性染料が付与されてなる転写媒体とを対向させた状態で、転写媒体を加熱する。これにより、布帛への昇華性染料の転写が進行し、裏抜けが十分に発生し、表面および裏面ともに十分な色濃度の染色部が形成される。その結果、染色物が得られる。
【００１８】
本工程での加熱温度は、１６０℃以上２２０℃以下であるのが好ましく、１７０℃以上２００℃以下であるのがより好ましい。これにより、本工程において、昇華性染料を効率よくかつ確実に昇華・転写させることができ、染色物の生産性を特に優れたものとすることができる。また、本工程において、必要以上に転写媒体を加熱しないことから、省エネルギーの観点等からも好ましい。
【００１９】
また、本工程での加熱時間は、加熱温度にもよるが、３０秒以上９０秒以下であるのが好ましく、４５秒以上６０秒以下であるのがより好ましい。これにより、昇華性染料を効率よくかつ確実に昇華・転写させることができ、染色物の生産性を特に優れたものとすることができる。また、染色物の製造全体におけるエネルギー使用量を抑制することができるため、両エネルギーの観点からも好ましい。
【００２０】
また、本工程は、転写媒体を、布帛（被染色物）と対向させた状態で加熱することにより行えばよいが、転写媒体と布帛とを密着させた状態で加熱することにより行うのが好ましい。これにより、転写に要するエネルギーをより少なくすることができ、染色物の生産性を特に優れたものとすることができる。また、所望の形状の染色部をより確実に形成することができ、染色物の信頼性を特に優れたものとすることができる。
【００２１】
また、本工程は、転写媒体を、布帛（被染色物）と対向させた状態で加熱することにより行えばよいが、転写媒体と布帛とを密着させた状態で加熱することにより行うのが好ましい。これにより、転写に要するエネルギーをより少なくすることができ、染色物の生産性を特に優れたものとすることができる。また、所望の形状の染色部をより確実に形成することができ、最終的に得られる染色物の信頼性を特に優れたものとすることができる。
【００２２】
＜転写媒体＞
以下、転写媒体について詳細に説明する。
本工程で形成する転写媒体は、記録媒体に昇華性染料が付与されてなるものであるが、インクジェット法により、昇華性染料と水とを含む昇華転写用インクを、前記記録媒体に付与することにより得られたものであるのが好ましい。これにより、形成すべき染色部が、審美性の求められるものであり、複雑な形状、微細な形状を有するであっても、染色部を所望の形状を有するものとして容易かつ確実に形成することができる。また、インクジェット法はオンデマンド性にも優れているため、多品種生産、少量生産にも好適に対応することができる。
【００２３】
［記録媒体］
以下、転写媒体を構成する記録媒体について説明する。
昇華転写用インクが付与される記録媒体としては、例えば、普通紙、インク受容層が設けられた記録媒体（インクジェット用専用紙、コート紙等で呼称される）等を用いることができるが、シリカ等の無機微粒子でインク受容層が設けられた紙が好ましい。これにより、記録媒体に付与した昇華転写用インクが乾燥する過程で、滲み等が抑制された中間記録物を得ることができる。
記録媒体への昇華転写用インクの付与（インク付与工程）は、インクジェット法を用いることにより好適に行うことができる。
【００２４】
インクジェット法による昇華転写用インクの吐出は、公知の液滴吐出装置を用いて行うことができる。
液滴吐出方式（インクジェット法の方式）としては、ピエゾ方式や、インクを加熱して発生した泡（バブル）によりインクを吐出させる方式等を用いることができるが、昇華転写用インクの変質のし難さ等の観点から、ピエゾ方式が好ましい。
また、転写媒体の製造（インク付与工程）では、複数種のインクを用いてもよい。これにより、例えば、表現することのできる色域をより広いものとすることができる。
【００２５】
＜布帛＞
以下、布帛について説明する。
布帛（被染色物）としては、例えば、ポリエステル繊維、ナイロン繊維、トリアセテート繊維、ジアセテート繊維、ポリアミド繊維等の繊維で構成されたものを用いることができる。また、前記から選択される２種以上の繊維の混紡品であってもよい。また、これらとレーヨン等の再生繊維あるいは木綿、絹、羊毛等の天然繊維との混紡品を用いてもよい。特に、布帛は、ポリエステル繊維で構成されたものであるのが好ましい。これにより、裏抜けをより良好に発生させることができる。
【００２６】
≪染色物≫
次に、本発明の染色物について説明する。
本発明の染色物は、上述したような本発明の染色方法を用いて製造されたものである。これにより、表面および裏面ともに十分な色濃度（光学濃度）の染色部を有する染色物を提供することができる。
本発明の染色物の用途は、いかなるものであってもよく、例えば、Ｔシャツ、トレーナー等の衣料品、のぼり旗等が挙げられる。
【００２７】
以上、本発明について、好適な実施形態に基づいて説明したが、本発明はこれらに限定されるものではない。
例えば、本発明の染色方法では、上述したような工程に加え、さらに他の工程（前処理工程、中間処理工程、後処理工程）を有するものであってもよい。
以下、昇華性染料と水とを含む昇華転写用インクについて説明する。
【００２８】
［昇華転写用インク］
（水）
水は、後に詳述する昇華性染料を分散させる分散媒として機能するものである。
このように、昇華転写用インクが水を含むことにより、昇華転写用インクの粘度、表面張力が、好ましい範囲に含まれるように好適に調整することができ、昇華転写用インクのインクジェット方式による吐出性を優れたものとすることができる。また、水は、インクジェット方式による吐出後に容易に除去することのできる成分であるため、染色物の生産性を高めるうえでも重要である。また、水は、人体等に対する安全性が極めて高い物質であるため、染色物の製造において、作業者の安全を確保する上でも重要である。
昇華転写用インク中における水の含有率は、特に限定されないが、５０質量％以上９０質量％以下であるのが好ましく、５５質量％以上７０質量％以下であるのがより好ましい。
【００２９】
（昇華性染料）
昇華性染料は、加熱により昇華する性質を有する染料である。
昇華性染料としては、上記のような性質を有する分散染料、溶剤染料等を用いることができる。このような染料の具体例としては、Ｃ．Ｉ．ディスパースイエロー３、７、８、２３、３９、５１、５４、６０、７１、８６；Ｃ．Ｉ．ディスパースオレンジ１、１：１、５、２０、２５、２５：１、３３、５６、７６；Ｃ．Ｉ．ディスパースブラウン２；Ｃ．Ｉ．ディスパースレッド１１、５０、５３、５５、５５：１、５９、６０、６５、７０、７５、９３、１４６、１５８、１９０、１９０：１、２０７、２３９、２４０；Ｃ．Ｉ．バットレッド４１；Ｃ．Ｉ．ディスパースバイオレット８、１７、２３、２７、２８、２９、３６、５７；Ｃ．Ｉ．ディスパースブルー１９、２６、２６：１、３５、５５、５６、５８、６４、６４：１、７２、７２：１、８１、８１：１、９１、９５、１０８、１３１、１４１、１４５、３５９；Ｃ．Ｉ．ソルベントブルー３６、６３、１０５、１１１等が挙げられる。これらは、単独で用いてもよいし２種類以上を併用してもよい。
【００３０】
中でも、昇華転写用インクの保存安定性の観点からは、Ｃ．Ｉ．ディスパースイエロー３、７、８、２３、５１、５４、６０、７１、８６；Ｃ．Ｉ．ディスパースオレンジ２０、２５、２５：１、５６、７６；Ｃ．Ｉ．ディスパースブラウン２；Ｃ．Ｉ．ディスパースレッド１１、５３、５５、５５：１、５９、６０、６５、７０、７５、１４６、１９０、１９０：１、２０７、２３９、２４０；Ｃ．Ｉ．バットレッド４１；Ｃ．Ｉ．ディスパースバイオレット８、１７、２３、２７、２８、２９、３６、５７；Ｃ．Ｉ．ディスパースブルー２６、２６：１、５５、５６、５８、６４、６４：１、７２、７２：１、８１、８１：１、９１、９５、１０８、１３１、１４１、１４５、３５９；Ｃ．Ｉ．ソルベントブルー３６、６３、１０５、１１１等がより好ましい。
【００３１】
（溶剤）
昇華転写用インクは、上記した成分に加え、溶剤を含むものであってもよい。溶剤としては、例えば、ポリオール化合物、グリコールエーテル等が挙げられる。ポリオール化合物としては、例えば、分子内の炭素数が２以上６以下であり、かつ、分子内にエーテル結合を１つ有してもよいポリオール化合物（好ましくはジオール化合物）等が挙げられる。具体例としては、グリセリン、エチレングリコール、ジエチレングリコール、トリエチレングリコール、プロピレングリコール、ジプロピレングリコール、１，３−プロパンジオール、１，２−ブタンジオール、１，３−ブタンジオール、１，４−ブタンジオール、２，３−ブタンジオール、３−メチル−１，３−ブタンジオール、１，２−ペンタンジオール、１，５−ペンタンジオール、２−メチル−２，４−ペンタンジオール、３−メチル−１，５−ペンタンジオール、１，２−ヘキサンジオール、１，６−ヘキサンジオール等が挙げられる。
【００３２】
また、昇華転写用インクは、グリコールエーテルを含むものであってもよい。グリコールエーテルとしては、例えば、エチレングリコール、ジエチレングリコール、トリエチレングリコール、プロピレングリコール、ジプロピレングリコールおよびトリプロピレングリコールから選択されるグリコールのモノアルキルエーテルが好ましい。より具体的には、トリエチレングリコールモノメチルエーテル、トリエチレングリコールモノブチルエーテル、ジプロピレングリコールモノプロピルエーテル等が好ましく例示できる。
【００３３】
（その他の成分）
昇華転写用インクは、上述した以外の成分（その他の成分）を含むものであってもよい。このような成分としては、例えば、トレハロース類、分散剤、防腐防黴剤、ｐＨ調整剤、キレート試薬、防錆剤、紫外線吸収剤、消泡剤、表面張力調整剤、ポリシロキサン化合物が挙げられる。
【００３４】
トレハロース類とは、２分子のグルコース同士が還元性基同士で結合した二糖類のことをいい、α，α−トレハロース（Ｏ−α−Ｄ−グルコピラノシル α−Ｄ−グルコピラノシド。以下、「トレハロース」という）、α，β−トレハロース（以下、「ネオトレハロース」という）、および、β，β−トレハロース（以下、「イソトレハロース」という）等が挙げられる。
【００３５】
昇華転写用インクが分散剤を含むことにより、昇華転写用インクにおける昇華性染料の分散安定性を特に優れたものとすることができ、昇華転写用インクの保存安定性、昇華転写用インクの長期にわたる吐出安定性等を特に優れたものとすることができる。また、昇華転写用インクを用いて製造される染色物の信頼性を特に優れたものとすることができる。
【００３６】
分散剤は、特に限定されないが、アニオン系分散剤、ノニオン系分散剤、高分子分散剤が挙げられる。
アニオン系分散剤としては、芳香族スルホン酸のホルマリン縮合物が好ましく挙げられる。
芳香族スルホン酸のホルマリン縮合物における「芳香族スルホン酸」としては、例えば、クレオソート油スルホン酸、クレゾールスルホン酸、フェノールスルホン酸、β−ナフトールスルホン酸、メチルナフタレンスルホン酸、ブチルナフタレンスルホン酸等のアルキルナフタレンスルホン酸、β−ナフタレンスルホン酸とβ−ナフトールスルホン酸との混合物、クレゾールスルホン酸と２−ナフトール−６−スルホン酸との混合物、リグニンスルホン酸等が挙げられる。
【００３７】
また、アニオン系分散剤としては、β−ナフタレンスルホン酸のホルマリン縮合物、アルキルナフタレンスルホン酸のホルマリン縮合物、および、クレオソート油スルホン酸のホルマリン縮合物が好ましい。
ノニオン系としては、フィトステロールのエチレンオキサイド付加物、コレスタノールのエチレンオキサイド付加物等が挙げられる。
【００３８】
本明細書において「フィトステロール」とは、フィトステロールおよび水添フィトステロールの両者を含む意味である。例えば、フィトステロール類のエチレンオキサイド付加物としては、フィトステロールのエチレンオキサイド付加物、水素添加フィトステロールのエチレンオキサイド付加物等が挙げられる。
同様に、本明細書において「コレスタノール」とは、コレスタノール、および、水素添加コレスタノールの両者を含む意味である。例えば、コレスタノールのエチレンオキサイド（ＥＯ）付加物としては、コレスタノールのエチレンオキサイド付加物、水素添加コレスタノールのエチレンオキサイド付加物等が挙げられる。フィトステロールまたはコレスタノール１モルあたりのエチレンオキサイド付加量は１０モル以上５０モル以下で、ＨＬＢが１３以上２０以下のものが好ましい。
【００３９】
また、高分子分散剤としては、例えば、ポリアクリル酸部分アルキルエステル、ポリアルキレンポリアミン、ポリアクリル酸塩、スチレン−アクリル酸共重合物、ビニルナフタレン−マレイン酸共重合物等が挙げられる。
防腐防黴剤としては、例えば、有機硫黄系、有機窒素硫黄系、有機ハロゲン系、ハロアリルスルホン系、ヨードプロパギル系、Ｎ−ハロアルキルチオ系、ベンゾチアゾール系、ニトリル系、ピリジン系、８−オキシキノリン系、イソチアゾリン系、ジチオール系、ピリジンオキシド系、ニトロプロパン系、有機スズ系、フェノール系、第４アンモニウム塩系、トリアジン系、チアジアジン系、アニリド系、アダマンタン系、ジチオカーバメイト系、ブロム化インダノン系、ベンジルブロムアセテート系、無機塩系等の化合物が挙げられる。有機ハロゲン系化合物としては、例えば、ペンタクロロフェノールナトリウム等が挙げられ、ピリジンオキシド系化合物としては、例えば、ソジウムピリジンチオン−１−オキサイド、ジンクピリジンチオン−１−オキサイド等が挙げられ、イソチアゾリン系化合物としては、例えば、１−ベンズイソチアゾリン−３−オンのアミン塩、１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。その他の防腐防黴剤としては、デヒドロ酢酸ナトリウム、ソルビン酸ナトリウム、安息香酸ナトリウム等が挙げられる。
【００４０】
昇華転写用インクがｐＨ調整剤を含むことにより、昇華転写用インクの保存安定性等を特に優れたものとすることができる。また、昇華転写用インクを用いて製造される染色物の信頼性を特に優れたものとすることができる。
ｐＨ調整剤としては、例えば、昇華転写用インクのｐＨを６．０以上１１．０以下の範囲に制御できるものを好適に用いることができる。このようなｐＨ調整剤としては、例えば、ジエタノールアミン、トリエタノールアミン、ジメチルエタノールアミン、ジエチルエタノールアミン等のアルカノールアミン；水酸化リチウム、水酸化ナトリウム、水酸化カリウム、水酸化リチウム等のアルカリ金属の水酸化物；水酸化アンモニウム；炭酸リチウム、炭酸ナトリウム、炭酸カリウム等のアルカリ金属の炭酸塩；タウリン等のアミノスルホン酸等が挙げられる。
【００４１】
キレート試薬としては、例えば、エチレンジアミン四酢酸２ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウム等が挙げられる。
防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト、ベンゾトリアゾール系化合物等が挙げられる。
【００４２】
紫外線吸収剤としては、例えば、ベンゾフェノン系化合物、桂皮酸系化合物、トリアジン系化合物、スチルベン系化合物、いわゆる蛍光増白剤（ベンズオキサゾール系化合物に代表される紫外線を吸収して蛍光を発する化合物）等が挙げられる。
消泡剤としては、例えば、高酸化油系化合物、グリセリン脂肪酸エステル系化合物、フッ素系化合物、シリコーン系化合物、アセチレン系化合物等が挙げられる。
表面張力調整剤としては、界面活性剤が挙げられ、例えば、アニオン系界面活性剤、両性界面活性剤、カチオン系界面活性剤、ノニオン系界面活性剤等が挙げられる。
【００４３】
アニオン系界面活性剤としては、例えば、アルキルスルホカルボン酸塩、α−オレフィンスルホン酸塩、ポリオキシエチレンアルキルエーテル酢酸塩、Ｎ−アシルアミノ酸およびその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキルシルスルホ琥珀酸塩、ジオクチルスルホ琥珀酸塩等が挙げられる。
【００４４】
両性界面活性剤としては、例えば、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、その他イミダゾリン誘導体等が挙げられる。
カチオン系界面活性剤としては、例えば、２−ビニルピリジン誘導体、ポリ４−ビニルピリジン誘導体等が挙げられる。
【００４５】
ノニオン系界面活性剤としては、例えば、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系界面活性剤；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系界面活性剤；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール（アルコール）系界面活性剤等が挙げられる。
【００４６】
昇華転写用インクがポリシロキサン化合物を含むことにより、インクジェット方式による液滴吐出の吐出応答性を向上させることができる。ポリシロキサン化合物としては、例えば、ポリエーテル変性シロキサン、ポリエーテル変性ポリジメチルシロキサン等が挙げられる。
昇華転写用インクの表面張力（２５℃における表面張力）は、２０ｍＮ／ｍ以上５０ｍＮ／ｍ以下であるのが好ましく、２５ｍＮ／ｍ以上４０ｍＮ／ｍ以下であるのがより好ましい。なお、昇華転写用インクの表面張力は、例えば、表面張力計ＣＢＶＰ−Ａ３（協和界面科学株式会社製）を用いた、ＪＩＳ  Ｋ３３６２に準拠した測定により求めることができる。
【００４７】
また、昇華転写用インクの粘度（２５℃における粘度）は、２ｍＰａ・ｓ以上２０ｍＰａ・ｓ以下であるのが好ましい。これにより、昇華転写用インクの吐出安定性（吐出量の安定性、液滴の飛行特性等）、吐出応答性（応答速度、高周波対応性（周波数特性）等）等を特に優れたものとすることができる。なお、昇華転写用インクの粘度は、振動式粘度計を用いた、ＪＩＳ  Ｚ８８０９に準拠した測定により求めることができる。
【実施例】
【００４８】
［１］昇華転写用インクの製造
以下のようにして、昇華転写用インクを製造した。
（調製例１）
まず、昇華性染料としてのＣ．Ｉ．ディスパースイエロー５４と、高分子分散剤としてのスチレン-アクリル酸共重合物と、イオン交換水とからなる混合物を、０．２ｍｍ径ガラスビーズを用いてサンドミルにて、冷却下、約１５時間分散化処理を行った。分散処理後、イオン交換水を加えて希釈し、次いで、該分散液をガラス繊維濾紙ＧＣ−５０（東洋濾紙株式会社製、フィルターの孔径０．５μｍ）で濾過し、粒子サイズの大きい成分を除去した水性分散液を得た。
次に、上記のようにして得られた水性分散液と、トレハロースと、トリエチレングリコールモノメチルエーテルと、イオン交換水とを所定の割合で混合することにより、昇華転写用インクを得た。
【００４９】
得られた調製例１のインク組成は以下の通りである。
Ｃ．Ｉ．ディスパースイエロー５４            ２．５質量％
スチレン−アクリル酸共重合物                １．０質量％
トリエチレングリコールモノメチルエーテル    １．０質量％
プロピレングリコール                        ２．０質量％
トレハロース                              ２０．０質量％
イオン交換水                              ７３．５質量％
合計                                        １００質量％
【００５０】
また、調製例１の昇華転写用インクについての２５℃における表面張力（表面張力計ＣＢＶＰ−Ａ３（協和界面科学株式会社製）を用いた、ＪＩＳ  Ｋ３３６２に準拠した測定により求められた表面張力）は、いずれも、２５ｍＮ／ｍ以上４０ｍＮ／ｍ以下の範囲に含まれるものであった。また、調製例１の昇華転写用インクについての２５℃における粘度（振動式粘度計を用いた、ＪＩＳ  Ｚ８８０９に準拠した測定により求められた粘度）は、いずれも、２ｍＰａ・ｓ以上２０ｍＰａ・ｓ以下の範囲に含まれるものであった。
【００５１】
【表１】
0005924030.tif 000002
【００５２】
［２］染色物の製造
以下のようにして、昇華転写用インクを用いた染色を行い、染色物を製造した。
（実施例１）
まず、前記調製例１で得られた昇華転写用インクをインクジェット装置に投入した。
一方、ポリエステル繊維で構成された長尺の布帛（被染色物）を、幅方向および長手方向に伸張した（第１の工程）。伸張率は、１５０％であった。
その後、シリカを含む材料で構成されたインク受容層を備えた紙を記録媒体として用意し、当該記録媒体のインク受容層に、所定のパターンで昇華転写用インクを吐出して、転写媒体を得た（第２の工程）。
次に、上記のようにして得られた転写媒体のインク受容層側の面を、ポリエステル繊維で構成された布帛（被染色物、縦糸および横糸を有する織布）と密着させ、この状態で、太陽精機株式会社製ヒートプレス機ＴＰ−６０８Ｍを用いて１９０℃×４５秒の条件で加熱した（第３の工程）。これにより染色物を得た。
（実施例２〜９）
布帛の伸張率、加熱条件を表２に示すようにした以外は、前記実施例１と同様にして染色物の製造を行った。なお、転写媒体に形成した画像は、布帛の伸張率と同じ伸張率で画像処理を施した加工画像とした。
【００５３】
（比較例１）
布帛の伸張を行わなかった以外は、前記実施例１と同様にして染色物の製造を行った。
（比較例２、３）
加熱条件を表２に示すようにした以外は、前記比較例１と同様にして染色物の製造を行った。
【００５４】
［３］裏抜け評価
上記［２］で製造された染色物について、染色部の光学濃度ＯＤ１と、転写媒体と対向していた側の面とは反対側の面の染色部に対応する部位の光学濃度ＯＤ２とを、ＳｐｅｃｔｒｏＳｃａｎ（ＧｒｅｔａｇＭａｃｂｅｔｈ社製）を用いた測定により求めた。ＯＤ２／ＯＤ１の値を求め、以下の基準に従い評価した。このＯＤ２／ＯＤ１の値が低いものほど、裏抜けが効果的に防止されているといえる。
Ａ：ＯＤ２／ＯＤ１の値が０．８５以上である。
Ｂ：ＯＤ２／ＯＤ１の値が０．８５よりも小さい。
【００５５】
前記各実施例および比較例の染色物の製造条件、および、上記の評価についての結果を表１に示す。
表１から明らかなように、本発明では、裏抜けが良好に発生し、得られた染色物は、表面および裏面ともに発色性に優れるものであった。これに対して、比較例では、裏抜けが十分ではなく、裏面の発色性が十分ではなかった。
【符号の説明】
【００５６】
１……布帛  ２、３……中継ローラ  ４……伸張手段  １０……伸張装置
【図１】
0005924030.tif 000003